(57)【要約】【課題】金型構造が複雑になるのを回避した上、リテーナが本係止位置に不用意に移動するのを防止することを提供する。【解決手段】ハウジング１０の幅方向中央側の部分には、本係止受部３１が設けられ、ハウジング１０の幅方向両端側の部分には、仮係止受部２８が設けられる。リテーナ６０の幅方向中央側の部分には、仮係止位置にてハウジング１０の対向する壁面に当接することでリテーナ６０の本係止位置への移動を規制し、本係止位置にて本係止受部３１に係止されることでリテーナ６０の仮係止位置への戻りを規制する本係止部６８が設けられる。リテーナ６０の幅方向両端側の部分には、仮係止位置にて仮係止受部２８に係止されることでリテーナ６０のハウジング１０からの抜け出しを規制する仮係止部７３が設けられる。【選択図】図２
2015144103.tif 000002
【特許請求の範囲】
【請求項１】
幅方向に複数並んで配置されるキャビティを有し、前記キャビティに端子金具が挿入されるようになっているハウジングと、
前記ハウジングに装着され、前記キャビティへの前記端子金具の挿入を許容する仮係止位置と、前記仮係止位置から押し込まれ、前記キャビティに挿入された前記端子金具の抜けを規制する本係止位置とに移動可能とされるリテーナとを備えたコネクタであって、
前記ハウジングの幅方向中央側の部分には、本係止受部が設けられ、
前記ハウジングの幅方向両端側の部分には、仮係止受部が設けられ、
前記リテーナの幅方向中央側の部分には、前記仮係止位置にて前記ハウジングの対向する壁面に当接することで前記リテーナの前記本係止位置への移動を規制し、前記本係止位置にて前記本係止受部に係止されることで前記リテーナの前記仮係止位置への戻りを規制する本係止部が設けられ、
前記リテーナの幅方向両端側の部分には、前記仮係止位置にて前記仮係止受部に係止されることで前記リテーナの前記ハウジングからの抜け出しを規制する仮係止部が設けられていることを特徴とするコネクタ。
【請求項２】
前記キャビティに前記端子金具が後方から挿入され、前記ハウジングに前記リテーナが前方から装着され、前記リテーナが前記仮係止位置にある場合に、前記本係止部が前記ハウジングの前面における幅方向中央側の部分に当接することで、前記リテーナの前記本係止位置への移動が規制されることを特徴とする請求項１記載のコネクタ。
【発明の詳細な説明】
【技術分野】
【０００１】
本発明は、コネクタに関するものである。
【背景技術】
【０００２】
特許文献１に記載のコネクタは、幅方向に複数並んで配置されるキャビティを有するハウジングと、ハウジングに対して仮係止位置と本係止位置とに移動可能に装着されるリテーナ（フロントリテーナ）とを備えて構成されている。ハウジングのキャビティには、後方から端子金具が挿入される。リテーナが仮係止位置にあるときに、キャビティへの端子金具の挿入が許容され、リテーナが本係止位置にあるときに、キャビティに挿入された端子金具の抜け止めがなされる。
【０００３】
ハウジングの幅方向両端側の側面には、本係止凹部とガイド凸部とが前後に並んで設けられている。また、リテーナの幅方向両端側の側壁部には、本係止凸部と仮係止凸部とが前後に並んで設けられている。リテーナが仮係止位置にあるときに、仮係止凸部がガイド凸部に係止されることにより、リテーナのハウジングからの抜け出しが規制される。リテーナが仮係止位置から押し込まれて本係止位置に至ると、本係止凸部が本係止凹部に係止されることにより、リテーナが本係止位置に位置決めされる。
【先行技術文献】
【特許文献】
【０００４】
【特許文献１】特開２０１１−３４８８２号公報
【発明の概要】
【発明が解決しようとする課題】
【０００５】
ところで、上記従来のコネクタの場合、ハウジングの幅方向両端側の側面に本係止凹部とガイド凸部とが前後に並んで設けられているため、ハウジングの幅方向両端側の側面を成形する部分の金型構造が複雑になるという事情がある。同様に、リテーナの幅方向両端側の側壁部に本係止凸部と仮係止凸部とが前後に並んで設けられているため、リテーナの幅方向両端側の側壁部を成形する部分の金型構造が複雑になるという事情がある。
【０００６】
これに対し、例えば、本係止凹部とガイド凸部とをハウジングにおける別々の壁面に設け、本係止凸部と仮係止凸部とをリテーナにおける別々の壁面に設けることにより、金型構造が部分的に複雑になるのを回避することが可能となる。しかし、リテーナが仮係止位置にある場合に、仮係止凸部とガイド凸部との係止位置及びこれらと本係止凸部との位置関係等が適正に設定されていないと、リテーナが本係止位置に不用意に移動してしまうおそれがある。
【０００７】
本発明は上記のような事情に基づいて完成されたものであって、金型構造が複雑になるのを回避した上、リテーナが本係止位置に不用意に移動するのを防止することを目的とする。
【課題を解決するための手段】
【０００８】
本発明は、幅方向に複数並んで配置されるキャビティを有し、前記キャビティに端子金具が挿入されるようになっているハウジングと、前記ハウジングに装着され、前記キャビティへの前記端子金具の挿入を許容する仮係止位置と、前記仮係止位置から押し込まれ、前記キャビティに挿入された前記端子金具の抜けを規制する本係止位置とに移動可能とされるリテーナとを備えたコネクタであって、前記ハウジングの幅方向中央側の部分には、本係止受部が設けられ、前記ハウジングの幅方向両端側の部分には、仮係止受部が設けられ、前記リテーナの幅方向中央側の部分には、前記仮係止位置にて前記ハウジングの対向する壁面に当接することで前記リテーナの前記本係止位置への移動を規制し、前記本係止位置にて前記本係止受部に係止されることで前記リテーナの前記仮係止位置への戻りを規制する本係止部が設けられ、前記リテーナの幅方向両端側の部分には、前記仮係止位置にて前記仮係止受部に係止されることで前記リテーナの前記ハウジングからの抜け出しを規制する仮係止部が設けられているところに特徴を有する。
【発明の効果】
【０００９】
リテーナが仮係止位置にある場合に、ハウジングとリテーナの幅方向中央側の部分においては本係止部がハウジングの対向する壁面に当接することでリテーナの本係止位置への移動が規制されるため、仮係止位置にあるリテーナに対して本係止位置への押し込み力が偶発的に作用したときに、リテーナが本係止位置に移動してしまうのを効果的に防止することができる。とくに、幅方向に長尺のリテーナの場合、仮係止位置にあるリテーナに不用意に本係止位置への押し込み力が付与されると、リテーナの幅方向中央側の部分が突き出るようにリテーナが弓なりに撓んで、仮係止受部と仮係止部との係止状態が解除され易いため、リテーナの幅方向中央側の部分に設けられた本係止部によってリテーナの本係止位置への移動が規制されるメリットは大きい。また、本係止受部と仮係止受部とがハウジングにおける別々の部分に設けられ、本係止部と仮係止部とがリテーナにおける別々の部分に設けられているため、金型構造が部分的に複雑になるのが回避される。
【図面の簡単な説明】
【００１０】
【図１】本発明の実施例に係るコネクタの正面図である。
【図２】ハウジングに対してリテーナが仮係止位置に保持された状態を示す断面図である。
【図３】ハウジングに対してリテーナが本係止位置に保持された状態を示す断面図である。
【図４】ハウジングの斜視図である。
【図５】ハウジングの平面図である。
【図６】ハウジングの正面図である。
【図７】図６のＡ−Ａ線断面図である。
【図８】ハウジングの背面図である。
【図９】リテーナの斜視図である。
【図１０】リテーナの正面図である。
【図１１】図１０のＢ−Ｂ線断面図である。
【図１２】リテーナの背面図である。
【発明を実施するための形態】
【００１１】
以下、本実施形態の好ましい形態を示す。
前記キャビティに前記端子金具が後方から挿入され、前記ハウジングに前記リテーナが前方から装着され、前記リテーナが前記仮係止位置にある場合に、前記本係止部が前記ハウジングの前面における幅方向中央側の部分に当接することで、前記リテーナの前記本係止位置への移動が規制される。これによれば、仮係止位置にあるリテーナに前方から異物等が干渉した場合に、リテーナが本係止位置に不用意に移動するのを効果的に防止することができる。
【００１２】
＜実施例＞
実施例に係るコネクタを図面に基づいて説明する。コネクタは、合成樹脂製のハウジング１０と、合成樹脂製のリテーナ６０と、導電金属製の端子金具９０とを備えている。ハウジング１０は、図示しない相手ハウジングに嵌合可能とされている。なお、以下の説明において、前後方向については、相手ハウジングとの嵌合開始時に相手ハウジングの位置する側を前方として説明する。
【００１３】
ハウジング１０は、図４、図６及び図７に示すように、略ブロック状のハウジング本体１１と、ハウジング本体１１の周囲を取り囲む筒状の嵌合筒部１２とを有している。ハウジング本体１１と嵌合筒部１２とはそれぞれの後端部で連結部１３を介して互いに連結されている。ハウジング本体１１と嵌合筒部１２との間で且つ連結部１３の前方には、嵌合時に相手ハウジングの図示しないフード部が進入する嵌合空間１４が形成されている。また、ハウジング本体１１の外面には、連結部１３の前方に、図示しないシールリングが嵌着されている。シールリングは、リテーナ６０によって前方への抜けが規制された状態となる。両ハウジングの嵌合時には、ハウジング本体１１とフード部との間にシールリングが弾性的に挟み込まれ、これによって両ハウジング間が液密にシールされるようになっている。
【００１４】
図４〜図８に示すように、嵌合筒部１２の上部には、幅方向に一対の立壁１５が起立して設けられている。両立壁１５間で、且つハウジング本体１１の上方には、撓み可能なロックアーム１６が設けられている。ロックアーム１６は、前後方向に延びるアーム本体１７と、幅方向に延びてアーム本体１７の両側縁と両立壁１５の内面とに連結された一対の翼片部１８とを有している。アーム本体１７は、両翼片部１８を支点として上下方向に揺動可能とされている。図７に示すように、アーム本体１７の前端部には、ロック孔１９が貫通して設けられている。ハウジング１０が図示しない相手ハウジングに嵌合されると、ロックアーム１６の撓み動作を伴った後、アーム本体１７のロック孔１９に相手ハウジングの図示しないロック突起が弾性的に嵌まり込み、これによって両ハウジングが嵌合状態に保持されるようになっている。
【００１５】
図２に示すように、ハウジング本体１１には、複数（２つ又は３つ以上）のキャビティ２１が前後方向に延出して形成されている。図８に示すように、各キャビティ２１は、ハウジング本体１１において幅方向に一列に並んで配置されている。各キャビティ２１の内壁の上面には、撓み可能なランス２２が前方へ突出して設けられている。図７に示すように、キャビティ２１には端子金具９０が挿入され、正規挿入された端子金具９０がランス２２によって弾性的に抜け止め係止されるようになっている。
【００１６】
図７に示すように、端子金具９０は、筒状の箱部９１と、箱部９１の後方に連なって電線１００及びゴム栓２００に圧着により接続されるオープンバレル状のバレル部９２とを有している。ここで、端子金具９０に接続された電線１００は、ハウジング本体１１の後面から外側に引き出されるようになっている。
【００１７】
また、図２、図４及び図７に示すように、ハウジング本体１１には、キャビティ２１の前端を部分的に閉じる前壁２３が設けられている。前壁２３には、前方から図示しない相手端子金具のタブが挿入されるタブ挿入部２４が開口して設けられている。タブ挿入部２４の前部は、前方へ向けて拡幅する形態とされている。
【００１８】
図２に示すように、ハウジング本体１１には、幅方向で隣接するキャビティ２１間に、前後方向にほぼ沿った複数の隔壁２５が設けられている。各隔壁２５の前端は、前壁２３に一体に連結されている。そして、幅方向で隣接するキャビティ２１間は、隔壁２５によって仕切られている。
【００１９】
図２に示すように、ハウジング本体１１の幅方向両端部には、幅方向両端側に位置するキャビティ２１の外側面を区画する一対の側壁２６が設けられている。図４、図６及び図７に示すように、ハウジング本体１１の前端側の略上半部には、この略上半部に対応する前壁２３、両側壁２６及び各隔壁２５を切り欠くようにして開放された装着凹部２７が設けられている。装着凹部２７には、各ランス２２が露出して配置され、前方から後述するリテーナ６０が装着される。
【００２０】
図２及び図４に示すように、両側壁２６には、装着凹部２７に臨む前端部に、仮係止受部２８が設けられている。仮係止受部２８は、装着凹部２７に開口し、且つ嵌合空間１４からキャビティ２１にかけて側壁２６を幅方向に貫通する形態とされている。また、側壁２６の外面には、前後方向に延びて、後端が仮係止受部２８に連通し、前端が側壁２６の前面に開口するガイド溝２９が設けられている。
【００２１】
図２及び図４に示すように、各隔壁２５のうち、幅方向中央を挟んだ両側に位置する一対の隔壁２５には、装着凹部２７に臨む前端部に、本係止受部３１が設けられている。本係止受部３１は、隔壁２５を挟んで隣接する両キャビティ２１のうちの一方のキャビティ２１と装着凹部２７とに開口する凹状の形態とされている。本係止受部３１の前端は、前後方向に関して仮係止受部２８の前端とほぼ同じ位置に配置されている。なお、本係止受部３１の前端と仮係止受部２８の前端とは、いずれも幅方向に沿って配置され、後述する本係止部６８と仮係止部７３とに係止可能とされている。また、隔壁２５の幅方向略中央部には、前後方向に延びて、後端が本係止受部３１に連通し、前端が隔壁２５の前面に開口するガイド孔３２が設けられている。
【００２２】
続いて、リテーナ６０について説明する。リテーナ６０は、いわゆるフロントリテーナであって、図９に示すように、前壁部６１と、前壁部６１の外周から後方へ突出する筒状の周壁部６２とを有している。前壁部６１は、装着凹部２７に嵌着されてハウジング本体１１の略上半部を覆うことが可能な覆い壁６３と、覆い壁６３の下方においてハウジング本体１１の略下半部が嵌入可能なように開口する開口部６４とを有している。
【００２３】
リテーナ６０は、覆い壁６３がハウジング本体１１よりも前方に離間して配置される仮係止位置（図２を参照）と、仮係止位置から後方に押し込まれ、覆い壁６３がハウジング本体１１の装着凹部２７に嵌合して配置される本係止位置（図３を参照）とに移動可能とされている。図１に示すように、覆い壁６３の下縁には、本係止位置にてタブ挿入部２４との間に環状に連なって図示しないタブの誘い込みをなす複数の凹段部６５が設けられている。
【００２４】
図１１及び図１２に示すように、覆い壁６３の後面には、各キャビティ２１と対応する位置に、複数の規制片６６が突出して設けられている。詳細は図示しないが、リテーナ６０が仮係止位置にあるときに、規制片６６がランス２２の上方に形成された撓み空間３３（図７を参照）の前方に退避して配置され、ランス２２の撓み動作が許容される。また、リテーナ６０が本係止位置に至ったときに、規制片６６がランス２２の撓み空間３３に進入して配置され、ランス２２の撓み動作が規制されるようになっている。
【００２５】
図１１及び図１２に示すように、覆い壁６３の後面には、各規制片６６を挟んだ両側に、複数の仕切部６７が設けられている。各仕切部６７は、上下方向にほぼ沿った縦壁状をなし、幅方向に関して各隔壁２５と同じ位置に、幅方向に並んで配置されている。
【００２６】
図１２に示すように、覆い壁６３の後面のうち、幅方向中央の仕切部６７を挟んだ両側に位置する両仕切部６７の下端部には、一対の本係止部６８が設けられている。本係止部６８は、規制片６６よりも下方で、且つ本係止受部３１が設けられた隔壁２５と対応する位置に配置され、本係止受部３１に進入可能な突状をなしている。図１１に示すように、本係止部６８の前面は、突出端側へ行くに従って後傾する前側本係止斜面７１とされている。一方、本係止部６８の後面は、突出端側へ行くに従って前傾する後側本係止斜面７２とされている。前側本係止斜面７１の傾斜角（前後方向に対する傾斜角）は、後側本係止斜面７２の傾斜角よりも急傾斜で構成されている。
【００２７】
また、覆い壁６３の後面には、幅方向両端側に位置する両規制片６６の外側に、一対の端壁部６９が設けられている。両端壁部６９は、上下方向にほぼ沿った縦壁状をなし、幅方向に関して両側壁２６とほぼ同じ位置に、周壁部６２と一体に連結して配置されている。
【００２８】
図１２に示すように、覆い壁６３の後面のうち、幅方向両端側に位置する両端壁部６９の下端部には、一対の仮係止部７３が設けられている。仮係止部７３は、規制片６６よりも下方で、且つ仮係止受部２８が設けられた側壁２６と対応する位置に配置され、仮係止受部２８に進入可能な突状をなしている。また、仮係止部７３は、図１２に示すように、上下方向に関して本係止部６８とほぼ同じ位置に配置され、図１１に示すように、前後方向に関して本係止部６８よりも後方に配置されている。仮係止部７３の前面は、突出端側へ行くに従って後傾する前側仮係止斜面７４とされている。一方、仮係止部７３の後面は、突出端側へ行くに従って前傾する後側仮係止斜面７５とされている。前側仮係止斜面７４の傾斜角（前後方向に対する傾斜角）は、後側仮係止斜面７５の傾斜角よりも急傾斜で構成されている。そして、前側仮係止斜面７４の傾斜角は、前側本係止斜面７１の傾斜角とほぼ同一とされ、後側仮係止斜面７５の傾斜角は、後側本係止斜面７２の傾斜角とほぼ同一とされている。
【００２９】
次に、リテーナ６０の装着及び動作について説明する。
ハウジング本体１１に前方からリテーナ６０を装着する。リテーナ６０の装着過程では、周壁部６２がハウジング本体１１の前端部に外嵌され、両端壁部６９がガイド溝２９に進入して、両仮係止部７３がガイド溝２９を摺動する。図２に示すように、リテーナ６０が仮係止位置に至るに伴い、仮係止部７３が仮係止受部２８に弾性的に嵌まり込む。これにより、仮係止部７３の前側仮係止斜面７４が仮係止受部２８の前端に対向して係止可能に配置され、リテーナ６０が前方へ抜け出るのが規制される。また、仕切部６７がガイド孔３２に進入し、本係止部６８の後側本係止斜面７２がハウジング本体１１の幅方向中央側に位置する前壁２３の前面に当接可能に配置される。これにより、リテーナ６０が本係止位置側となる後方へ移動するのが規制される。
【００３０】
図２に示すように、仮係止位置では、リテーナ６０の前端部がハウジング１０の前端よりも前方に突出して配置される。このため、リテーナ６０の前壁部６１に異物が干渉し易く、異物との干渉等の起因する外力がリテーナ６０に作用し易いという事情がある。そうすると、例えば、覆い壁６３の前面に、異物が干渉して本係止位置側への外力が付与されたときに、リテーナ６０の幅方向略中央部が後方へ突き出るようにリテーナ６０が弓なりに変形し、リテーナ６０の幅方向両端側が外側に拡開し、両仮係止部７３と両仮係止受部２８との係止状態が解除される懸念がある。
【００３１】
しかるに本実施例の場合、リテーナ６０の幅方向略中央部に一対の本係止部６８が設けられ、両本係止部６８の後側本係止斜面７２が、仮係止位置にて対向する前壁２３の前面に当接することにより、リテーナ６０の幅方向略中央部が本係止位置側へ突き出るように変形するのが防止される。その結果、仮係止部７３と仮係止受部２８との係止状態が安定して保たれる。
【００３２】
続いて、ハウジング本体１１のキャビティ２１に後方から端子金具９０を挿入する。正規挿入された端子金具９０はランス２２によってキャビティ２１に一次的に抜け止めされる。
次いで、リテーナ６０を後方へ強く押圧し、リテーナ６０を本係止位置に向けて移動させる。リテーナ６０が本係止位置に至る過程では、仮係止部７３が仮係止受部２８の内部に逃がされるとともに、本係止部６８がガイド孔３２に圧入状態で弾性的に挿入される。図３に示すように、リテーナ６０が本係止位置に至ると、本係止部６８がガイド孔３２を抜け出て本係止受部３１に嵌り込み、本係止部６８の前側本係止斜面７１が本係止受部３１の後端に対向して係止可能に配置される。これにより、リテーナ６０が仮係止位置側へ戻る方向となる前方へ移動するのが規制される。また、リテーナ６０の両端壁部６９の後端が側壁２６の前端に当接することにより、リテーナ６０が本係止位置よりも後方に移動するのが規制される。そして、リテーナ６０が本係止位置に至ることにより、規制片６６がランス２２の撓み空間３３に進入してランス２２の撓み動作が規制され、もって端子金具９０がキャビティ２１に二次的に抜け止めされた状態に保持される。
【００３３】
以上説明したように、本実施例によれば、リテーナ６０が仮係止位置にある場合に、ハウジング１０とリテーナ６０の幅方向中央側の部分においては本係止部６８がハウジング１０の前壁２３に当接することで、リテーナ６０の本係止位置への移動が規制されるため、仮係止位置にあるリテーナ６０に対して本係止位置への押し込み力が偶発的に作用したときに、リテーナ６０が本係止位置に誤って移動してしまうのを効果的に防止することができる。
【００３４】
また、本係止受部３１と仮係止受部２８とがハウジング１０における別々の部分（側壁２６と隔壁２５）に設けられ、本係止部６８と仮係止部７３とがリテーナ６０における別々の部分（仕切部６７と端壁部６９）に設けられているため、これら本係止受部３１、仮係止受部２８、本係止部６８及び仮係止部７３を成形するための金型構造が格別複雑になることもない。
【００３５】
＜他の実施例＞
本発明は上記記述及び図面によって説明した上記実施例に限定されるものではなく、例えば次のような態様も本発明の技術的範囲に含まれる。
（１）仮係止受部は、各隔壁のうち、本係止受部が設けられた隔壁とは異なる隔壁に設けられるものであってもよい。また、仮係止受部は、隔壁と側壁との両方に設けられるものであってもよい。
（２）仮係止部は、各仕切部のうち、本係止部が設けられた仕切部とは異なる仕切部に設けられるものであってもよい。また、仮係止部は、仕切部と端壁部との両方に設けられるものであってもよい。
（３）リテーナがハウジングに対して嵌合方向（前後方向）と交差する方向から差し込まれるサイドリテーナにも本発明を適用することが可能である。
（４）上記実施例とは逆に、仮係止受部が突状をなし、仮係止部が凹状をなすものであってもよい。また、上記実施例とは逆に、本係止受部が突状をなし、本係止部が凹状をなすものであってもよい。
【符号の説明】
【００３６】
１０…ハウジング
２１…キャビティ
２５…隔壁
２６…側壁
２８…仮係止受部
３１…本係止受部
６０…リテーナ
６８…本係止部
７３…仮係止部
９０…端子金具
【図１】
2015144103.tif 000003
【図２】
2015144103.tif 000004
【図３】
2015144103.tif 000005
【図４】
2015144103.tif 000006
【図５】
2015144103.tif 000007
【図６】
2015144103.tif 000008
【図７】
2015144103.tif 000009
【図８】
2015144103.tif 000010
【図９】
2015144103.tif 000011
【図１０】
2015144103.tif 000012
【図１１】
2015144103.tif 000013
【図１２】
2015144103.tif 000014